(57)【要約】【課題】温度差のある出入口の解放時の開口空域に流動する空気の実態的流れを捕らえて効率よく遮断するとともに、保守メンテナンスが容易に行なえる低コスト、高効率のエアシャッタを提供をする。【構成】本発明のエアシャッタは、温度差のある出入口の開口部の両脇に隣接して設けた冷気遮断脚柱１２と対向位置に設けた暖気遮断脚柱１３とより構成し、冷気遮断脚柱１２は、下部吹き出しノズル１２ａと吸入口１２ｂを設け、内部に下部吹き出しファン１２ｃと吸入ダクト１２ｄを内蔵させ、一方暖気遮断脚柱１３は、上部吹き出しノズル１３ａと吸入口１３ｂを設け、内部に上部吹き出しファン１３ｃと吸入ダクト１３ｄを内蔵する。【選択図】　　　図１
2004077113.tif 000002
【特許請求の範囲】
【請求項１】
温度差のある出入口の開口部に設けられ空気の流通を遮断するエアシャッタにおいて、出入口の高さに応じて開口空域の中間無風域を挟んで存在する、上部の暖気流入域と下部の冷気流出域に対し、それぞれ暖気遮断域と冷気遮断域を設け、前記暖気遮断域に設けた暖気遮断流路と前記冷気遮断域に設けた冷気遮断流路とよりなる循環遮断流路を構成したことを特徴とするエアシャッタ。
【請求項２】
前記循環遮断流路は、開口部脚柱の一に設けた吸入ダクト及び下部吹き出しファンを内蔵してなる冷気遮断部により形成され低速気流を前記開口空域に流す遮断断面積の大きな冷気遮断流路と、前記開口部脚柱の反対側脚柱に設けた吸入ダクト及び上部吹き出しファンを内蔵してなる暖気遮断部により形成され高速気流を前記開口空域に流す遮断断面積の小さな暖気遮断流路とにより構成されたことを特徴とする請求項１記載のエアシャッタ。
【請求項３】
前記暖気遮断域は上から０．１〜０．４Ｈ（Ｈは開口空域の高さを示す）とし、冷気遮断域は下から０．５〜０．９Ｈとしたことを特徴とする請求項１記載のエアシャッタ。
【請求項４】
前記遮断流路の吹き出し角度は暖気遮断流路の場合は外側に向け、冷気遮断流路の場合は内側に向け、それぞれ０〜２０°としたことを特徴とする請求項１記載のエアシャッタ。
【請求項５】
前記冷気遮断部と暖気遮断部とは、出入口開口部に取り付けた防熱扉に設けたことを特徴とする請求項２記載のエアシャッタ。
【請求項６】
前記開口部脚柱は、エア通過流の上部逸散防止用天井板を備えてなる門型構造としたことを特徴とする請求項２記載のエアシャッタ。
【請求項７】
前記開口空域の上部部位における前記暖気遮断部に、該開口空域の内側と外側との間の熱遮断を行う暖簾部材を設置したことを特徴とする請求項２記載のエアシャッタ。
【請求項８】
温度差のある出入口に設けられ鉛直方向に作動して開閉する扉により形成される開口部の空気の流通を遮断するエアシャッタにおいて、
前記空気流通域に上部の暖気遮断域と中間の空気流出入のない無風の境界域と下部の冷気遮断域とを設け、前記暖気遮断域は上から０．１〜０．４Ｈ（Ｈは開口空域の高さを示す）とし、前記冷気遮断域は下から０．５〜０．９Ｈとして、上部の暖気遮断断面積を、下部の冷気遮断断面積より小さく設定する高速気流を流す暖気遮断流路と低速気流を流す冷気遮断流路とを形成する暖気遮断脚柱と冷気遮断脚柱と天井板とよりなる門型構造体を前記開口部に設ける構成とし、
前記暖気遮断流路を流れる風速は、前記暖気遮断断面積に対応して冷気遮断流路を流れる風速より速く設定するとともに、吹き出し角度は暖気遮断流路は庫外側に０〜２０°傾け、冷気遮断流路は庫内側に０〜２０°傾ける構成としたことを特徴とするエアシャッタ。
【請求項９】
温度差のある出入口の開口部に設けられ空気の流通を遮断するエアシャッタにおいて、前記開口部に形成される開口空域の両側に互いに対向して立設され内部に空気が通流するダクトが形成された開口部脚柱を備え、前記各開口部脚柱には前記ダクト内の空気を前記開口空域に吹き出す空気吹出し口と前記開口空域の空気を前記ダクト内に吸入する空気吸入口とを該開口部脚柱の一方側の空気吹出し口と他方側の空気吸入口とが対向するように該開口部脚柱の高さ方向に沿って開設し、前記空気吹出し口には複数個の吹き出しファンを設置し、さらに前記開口部脚柱の一方側の前記空気吹出し口及び吹き出しファンを該開口部脚柱の高さ方向において上部部位及び下部部位に配置するとともに、該開口部脚柱の他方側の高さ方向中間部に前記空気吹出し口及び吹き出しファンを配置して、前記各吹き出しファンから対向する空気吸入口へ向けて空気を吹き出すように構成してなることを特徴とするエアシャッタ。
【請求項１０】
前記開口部脚柱の高さ方向中間部に配置された吹き出しファンは、前記ダクト内を仕切り部材によって区画された室の夫々から空気を吸入するように構成されたことを特徴とする請求項９記載のエアシャッタ。
【請求項１１】
温度差のある出入口の開口部に設けられ空気の流通を遮断するエアシャッタであって、前記開口部に形成される開口空域の中間無風域を挟んで存在する上部の暖気流入域と下部の冷気流出域に対し、それぞれ暖気遮断域と冷気遮断域が設けられ、前記暖気遮断域に設けられた暖気遮断流路と前記冷気遮断域に設けられた冷気遮断流路とよりなる循環遮断流路を構成するとともに、前記循環遮断流路は、開口部脚柱の一に設けた吸入ダクト及び下部吹き出しファンを内蔵してなる冷気遮断部により形成され低速気流を前記開口空域に流す遮断断面積の大きな冷気遮断流路と、前記開口部脚柱の反対側脚柱に設けた吸入ダクト及び上部吹き出しファンを内蔵してなる暖気遮断部により形成され高速気流を前記開口空域に流す遮断断面積の小さな暖気遮断流路とにより構成されたエアシャッタの設置方法において、既設されている前記エアシャッタに、前記開口部脚柱と前記開口部を開閉する扉との間の空気シールを行うシールパッキンを装着することを特徴とするエアシャッタの設置方法。
【発明の詳細な説明】
【０００１】
【発明の属する技術分野】
本発明は、温度差のある出入口の開口空域に設けて、該空域の空気の流通を遮断し、外気の内部流入と冷気の外部流出を遮断するエアシャッタに関する。
【０００２】
【従来の技術】
従来より、建屋に使用されている防熱扉の開口空域への外気の侵入を遮断するエアカーテンについては、特公昭３７−１２１８３号公報に記載されている。
上記発明は、下記構成より成り立っている。
即ちかかる発明においては、水平方向に空気を左右両側から吹き出し、開口部への空気の流通を遮断しているが、該空気を片方のみから吹き出すエアカーテンに比べ風量が多く、多大の動力を必要とする問題点を内蔵していた。
【０００３】
さらに、その後開示されている提案のなかで、特開昭５１−１１８１４９号公報に記載の下記提案がある。
かかる提案においては、図９に見るように、アーチ状ダクト１０６内を還流ファン１１０により還流されてきた外気遮断用空気は、前記アーチ上部ではガイド１０８により風向きが略１８０度方向転換されるため、開口空間の上部の外気遮断用空気の流れ１０４は斜め下向きになり、前記開口空間の最上部での速い風速で外部１０１から流入する暖気を押さえる力が弱いという欠点があった。
またかかる提案においては、アーチ状ダクト１０６の上部に還流ファン１１０があるため、図示していない防熱扉の保守メンテナンスが困難になるという構造的欠陥を持っていた。
【０００４】
上記提案以外に、図１０（Ａ）及び（Ａ）のＶＩ−ＶＩ視図（Ｂ）に示すエアカーテンもある。上記提案は、図に見るように、建屋の外壁５０に接し、その外郭輪郭線５１の外側でゴムやビニール等よりなる充填材を介して開閉可能に設けてある防熱扉５７、５７の外側に空気循環ファン５４を含む空気循環路５５を内蔵するアーチ状ダクト５３を設け、該ダクト５３の左右脚柱の対向脚柱面５３ａ、５３ａにより外気遮断流路５６を防熱扉５７の外側に形成させて、外気の屋内への侵入を防止するようにしたものである。
なお、上記左右の脚柱面５３ａ、５３ａと防熱扉５７、５７との間の間隙５３ｂ、５３ｂにはゴム、ビニール等により充填し、外気の侵入を防ぐ構造としている。
【０００５】
上記従来例の場合、図１０（Ｂ）に見るように防熱扉５７、５７を左右に開いた時は、前記輪郭線５１の外側の点線で囲む開口空間６５ａが形成され、外気遮断流路５６によるエアカーテンが形成されても、防熱扉５７を外壁５０より吊下げているレールに邪魔されて、前記外壁５０から防熱扉５７の厚さ分の上部空間は外気の侵入が遮断できないこととなり、充分な空気遮断効果が得られていないという問題がある。
【０００６】
また、従来の上記実施例とは別の構成を持つ提案が実開平５−７３４３６号公報に提案されている。上記提案は、図１１（Ａ）及び（Ａ）のＶＩＩ−ＶＩＩ視図（Ｂ）に見るように、建屋の外壁５０に接し、その外郭輪郭線５１の外側でゴムやビニール等の隙間充填材を介して左右開閉可能に設けてある防熱扉６０、６１を設け、該防熱扉６０、６１内に内蔵する断熱材５２により防熱扉閉鎖時の内外断熱を可能にする構造としてあり、
また上記左右の防熱扉６０、６１のそれぞれの左側及び右側にシロッコファン６０ａ、６１ａを設け、外気を図の右側より取り入れ防熱扉６０、６１の外側を貫流させ外気遮断流路６２を形成して左側に排出させ、外気遮断のエアカーテンを形成させたものである。
【０００７】
かかる提案の場合は、建屋の外郭輪郭線５１の外側に図１１（Ｂ）の点線で囲まれた開口空間６５ｂが形成され、外気遮断流路６２によるエアカーテンが形成されても、上記開口空間６５ｂの上部隙間からの外気の屋内侵入を防止できないという問題点がある。
またかかる提案においては、空気を一方向に貫流させることから常に外気が吸入されるため、貫流温度が高く、漏れた空気との接触で白煙（結露）が生じやすい。また、貫流により冷気を流出させることになり、遮断効率を高くすることはできない。また、冷気と暖気が混ざる境界上の床面や扉の接合面には結露が発生するという問題がある。
【０００８】
上記したように、従来の横方向貫流型の場合は、図１０、図１１に示すように防熱扉５７、５７や６０、６１を吊架して左右開閉させるレール、滑車とを含む吊架部周辺部位よりの外気侵入の問題がある。
【０００９】
一方従来から広く使用されている一方向吹き下ろし型のエアカーテンの断面図が図１０（Ｃ）に示してある。
図に見るように、吹き下ろし型エアカーテン６３は外壁５０の上部に設けられ、遮断空気流６３ａが防熱扉６４の頭越しに吹き下ろす簡便な方式であるので、一般に広く用いられているが、吹き出し空気の流速が最も低下する床面付近では遮断効率が低下し、庫内から漏れた冷気と庫外空気との接点で白煙を生ずるとともに床面に結露を発生する問題がある。
また、吹き下ろし角度が固定であるので安定したカーテン効果が得られ難く、また、庫内外温度差が大きいときには下部付近での遮断効果が低下し、また、エアカーテンの風量、風速が小さいとカーテンが破られるという問題がある。
前記一方向吹き下ろし型のエアカーテンは、以上のような問題点を有しているため、冷気漏れ遮断効果を発揮させるのは難しいという課題を内蔵している。
【００１０】
【発明が解決するための課題】
そこで、本願発明者は上記問題点を解決すべく、
従来の一方向吹き下ろし型エアカーテンに見られた吹き下ろし空気到達点での遮断効率の低下、並びに貫流型エアカーテンに見られた冷気漏れに起因する結露の問題を解決し、遮断効率が高く、結露の心配のないエアカーテンに関し、特開２０００−２４９３８２号公報に開示された提案を行なっている。
即ち、本提案においては、図１２に見るように、
ａ）外気侵入の開口空間を皆無とするため、開口空間を形成する防熱扉７１、７２の当接面のそれぞれには、空気吹き出し口７６、７３、空気吸入口７４、７７と、空気循環ファン８３、８４とを設けて外気遮断空気圧送部を形成させ、冷気遮断流路７８ａ、暖気遮断流路７８ｂよりなる循環遮断流路を形成させている。
ｂ）即ちかかる提案においては、開口空間の下部に冷気遮断流路７８ａを形成させ、上部に暖気遮断流路７８ｂを形成した循環遮断流路を構成している。
ｃ）なおかかる提案においては、上部還流空気の一部を利用して吹き下ろし流路７９を設け、上部の暖気遮断流路７８ｂと下部の冷気遮断流路７８ａとに併存させている。
ｄ）またかかる提案においては、冷気を遮断する床面に近い吹き出し口に設ける吹き出し角や、上部の暖気を遮断する吹き下ろし角等は可変として、遮断効率を上げる構造としている。
【００１１】
即ち、かかる提案においては、開口上部空間に存在する外部より流入する暖気の遮断のために、上部吹き下ろし流路７９と暖気遮断流路７８ｂとを設け、
開口下部空間への庫内８０より流出する冷気の遮断のため、前記暖気遮断流路７８ｂの還流空気による下部冷気遮断流路７８ａを設けている。
またかかる提案においては、開口空域への外部より流入する暖気と庫内８０より外部へ流出する冷気の遮断については、循環遮断流路を形成する暖気遮断流路と冷気遮断流路により従来例に見られた白煙や結露の発生を防止することが可能になったが、効率的外気遮断の点で充分に解決されたとは言い難い状況にあった。
【００１２】
本発明は、特に開口部における、解放時の空気の流動状態について、実験データ等の積み重ねにより解明の度合を深め、解放時の開口空域で流動する空気の流れを効率よく遮断するとともに、保守メンテナンスが容易に行なえる低コスト、高効率のエアシャッタの提供を目的とするものである。
【００１３】
【問題を解決するための手段】
そこで、本発明のエアシャッタに関する第１の発明は、
温度差のある出入口の開口部に設けられ空気の流通を遮断するエアシャッタにおいて、出入口の高さに応じて開口空域の中間無風域を挟んで存在する、上部の暖気流入域と下部の冷気流出域に対し、それぞれ暖気遮断域と冷気遮断域を設け、前記暖気遮断域に設けた暖気遮断流路と前記冷気遮断域に設けた冷気遮断流路とよりなる循環遮断流路を構成したことを特徴とする。
【００１４】
上記第１の発明は、本発明のエアシャッタの基本構成に係わるもので、開口空域に外部より流入する上部空域の暖気を遮断するとともに、内部より流出する下部空域の冷気を遮断して当該開口空域での空気の流通を遮断するようにしたものである。
【００１５】
則ち、後記するように、図４（Ａ）、（Ｂ）には実験データによる解放時の開口空域における庫内と庫外との間の空気の動きが示してあるが、図に見るように、床面に沿っての冷気の流出はその最大値を示し、以後暫時冷気流出量を減少させ高さが約０．８Ｈの位置で空気の動きは零となり、無風状態を現出し、以後高さが高くなるにつれ空気の動きは逆となり暖気が庫外より庫内へ流入する。
そして、開口空域の大半が冷気流出域を形成し、上部空域の僅かな部位に暖気流入域を形成し、その間に中間無風域を形成している。
本発明は、上記分析結果を基にして、上部暖気流入域に暖気遮断域を設定し該遮断域に高速空気による遮断断面積の小さな暖気遮断流路を設け、下部の冷気流出域に冷気遮断域を設定し該遮断域に低速空気による遮断断面積の大きい冷気遮断流路を設定し、前記中間無風域に前記暖気遮断流路と冷気遮断流路の境界域を設定するようにしたものである。
そして前記暖気を遮断する暖気遮断流路と冷気を遮断する冷気遮断流路により循環遮断流路を形成して同一循環空気の使用により室内との温度差を少なくして白煙の発生や結露の発生を防止している。
【００１６】
上記第１の発明のエアシャッタにおける、前記循環遮断流路は、開口部脚柱の一に設けた吸入ダクト及び下部吹き出しファンを内蔵してなる冷気遮断部により形成され低速気流を前記開口空域に流す遮断断面積の大きな冷気遮断流路と、前記開口部脚柱の反対側脚柱に設けた吸入ダクト及び上部吹き出しファンを内蔵してなる暖気遮断部により形成され高速気流を前記開口空域に流す遮断断面積の小さな暖気遮断流路とより構成するのが好ましく、
前記循環遮断流路を形成する上部暖気遮断流路を流れる高速気流と下部冷気遮断流路を流れる低速気流を形成する、冷気遮断用空気の吹き出し部を一の脚柱に内蔵させるとともに、暖気遮断用空気の押し出し部を他の対応脚柱に内蔵する構成にしたため、前記循環空気の循環用ファン及びダクトを別途設ける必要がなく、低コスト、コンパクトな構成を可能とするとともに、保守メンテナンスを容易に且つ確実に行なえる構成にしてある。
【００１７】
また、前記第１の本発明のエアシャッタにおける、
前記暖気遮断域は上から０．１〜０．４Ｈとし、冷気遮断域は下から０．５〜０．９Ｈとする構成が好ましく、
この値は図４に示す実験データを参考にして決められたものである。
【００１８】
前記したように、図４（Ａ）には開口空域の中央部の空気の直角方向（庫外と庫内の間）の流速を示し、マイナス値は庫外より庫内への流入を示し、プラス値は庫内から庫外への流出を示す。図４（Ｂ）は高さ方向の変化に対する風速ベクトル図である。
前記のように、床面に沿っての冷気の流出は最大値を示し、以後高くなるにつれ減少し、高さが約０．８Ｈの位置で空気の動きは零となり無風状態を現出し、以後高さが高くなるにつれ、空気の動きは逆となり暖気が高速で庫外より庫内へ流入しているが、その領域は最上部の僅かな空域に限られている。
そこで、上記状態で流出入する空気を遮断するためには暖気遮断域は上から、０．１〜０．４Ｈに設定し、冷気遮断域は下部床面から０．５〜０．９Ｈに設定し、前記暖気遮断域に暖気遮断流路を設け冷気遮断域に冷気遮断流路を設け、前記中間無風域に前記暖気遮断流路と冷気遮断流路との間の境界域を設けたものである。
【００１９】
前記第１の本発明のエアシャッタにおける、
前記遮断流路の吹き出し角度は、暖気遮断流路の場合は外側に向け、また、冷気遮断流路の場合は内側に向け、それぞれ０〜２０°とするのが好ましい。
【００２０】
また、前記第１の本発明のエアシャッタにおける、
前記冷気遮断部と暖気遮断部は、出入口開口部に取り付けた防熱扉に設けても良い。
【００２１】
また、前記第１の本発明のエアシャッタにおける、
前記開口部脚柱は、エア通過流の上部逸散防止用天井板を備えてなる門型構造とするのが好ましく、前記天井板より開口部上部空域の空気流を規制し、風の流入を防止できる。
【００２２】
また、前記第１の本発明のエアシャッタにおける、
前記開口空域の上部部位における前記暖気遮断部に、該開口空域の内側と外側との間の熱遮断を行う暖簾部材を設置するのが好ましい。
このように構成すれば、暖気を遮断する暖気遮断流路と冷気を遮断する冷気遮断流路により循環遮断流路を形成して同一循環空気の使用により室内との温度差を少なくできるのに加えて、開口空域の上部部位における前記暖気遮断部に設置した暖簾部材によって、庫内と外部との間のさらなる熱遮断効果を得ることができる。
また、前記暖簾部材を開口空域の上部部位における前記暖気遮断部のみに設置して、開口空域の高さ方向中間部及び下部には暖簾部材を設置していないので、該暖簾部材を設置することによる外部から庫内の見通しの悪化を回避できるとともに、フォークリフト等の作業車両の出入りの障害にもならず作業能率の低下を来すこともない。
【００２３】
そして、前記本発明のエアシャッタに関する第２の発明は、
温度差のある出入口に設けられ鉛直方向に作動して開閉する扉により形成される開口部の空気の流通を遮断するエアシャッタにおいて、
前記空気流通域に上部の暖気遮断域と中間の空気流出入のない無風の境界域と下部の冷気遮断域とを設け、前記暖気遮断域は上から０．１〜０．４Ｈ（Ｈは開口空域の高さを示す）とし、前記冷気遮断域は下から０．５〜０．９Ｈとして、上部の暖気遮断断面積を、下部の冷気遮断断面積より小さく設定する高速気流を流す暖気遮断流路と低速気流を流す冷気遮断流路とを形成する暖気遮断脚柱と冷気遮断脚柱と天井板とよりなる門型構造体を前記開口部に設ける構成とし、
前記暖気遮断流路を流れる風速は、前記暖気遮断断面積に対応して冷気遮断流路を流れる風速より速く設定するとともに、吹き出し角度は暖気遮断流路は庫外側に０〜２０°傾け、冷気遮断流路は庫内側に０〜２０°傾ける構成としたことを特徴とする。
【００２４】
上記第２の発明に係わるエアシャッタは、温度差のある出入口に設けた鉛直方向に作動して開閉する扉により形成される開口部の空気の流通を遮断するエアシャッタに関するもので、前記鉛直解放式扉に隣接して開口空域を形成する左右の脚柱と天井板とよりなる門型構造体を設け、前記左右の脚柱に前記第１の発明における暖気遮断部と冷気遮断部を内蔵させ、暖気遮断流路と冷気遮断流路とよりなる循環遮断流路を形成させたものである。
なお、前記暖気遮断流路及び冷気遮断流路によりそれぞれ形成される遮断領域の高さ、及び吹き出し角は、前記第１の発明における場合と同等の構成を持つようにしてある。
【００２５】
そして、前記本発明のエアシャッタに関する第３の発明は、
温度差のある出入口の開口部に設けられ空気の流通を遮断するエアシャッタにおいて、前記開口部に形成される開口空域の両側に互いに対向して立設され内部に空気が通流するダクトが形成された開口部脚柱を備え、前記各開口部脚柱には前記ダクト内の空気を前記開口空域に吹き出す空気吹出し口と前記開口空域の空気を前記ダクト内に吸入する空気吸入口とを該開口部脚柱の一方側の空気吹出し口と他方側の空気吸入口とが対向するように該開口部脚柱の高さ方向に沿って開設し、前記空気吹出し口には複数個の吹き出しファンを設置し、さらに前記開口部脚柱の一方側の前記空気吹出し口及び吹き出しファンを該開口部脚柱の高さ方向において上部部位及び下部部位に配置するとともに、該開口部脚柱の他方側の高さ方向中間部に前記空気吹出し口及び吹き出しファンを配置して、前記各吹き出しファンから対向する空気吸入口へ向けて空気を吹き出すように構成してなることを特徴とする。
【００２６】
かかる発明によれば、開口部脚柱の一方側の空気吹出し口及び吹き出しファンを該開口部脚柱の高さ方向上部部位及び下部部位に配置して、該上部部位及び下部部位の吹き出しファンからこれに対向する開口部脚柱の空気吸入口へ向けて空気を吹き出し、また他方側開口部脚柱の空気吹出し口及び吹き出しファンを高さ方向中間部に配置して、該中間部の吹き出しファンからこれに対向する開口部脚柱の上下の空気吸入口へ向けて空気を吹き出すように構成したので、対をなす開口部脚柱に設けられた複数の吹出しファンからなるファン群を、一方側開口部脚柱の上部部位ファン群及び下部部位ファン群、他方側開口部脚柱の中間部のファン群の、少なくとも３つの吸い込み流路を有するファン群に分けて設置することにより、各吹き出しファンへの吸い込み流路が短縮されるとともに、吸い込み流の干渉の少ない滑らかな流路形状となる。
【００２７】
これにより、各吹き出しファンへの吸い込み抵抗が減少して、前記開口部脚柱内に形成された吸入ダクト内における前記吹き出しファン吸い込み側の通路幅が小さいことによる吸い込み側静圧の上昇を抑制でき、該吸い込み側静圧の上昇に伴なう前記循環遮断流路における循環風速、風量の低下を防止できる。
【００２８】
また、かかる発明において、前記開口部脚柱の高さ方向中間部に配置された吹き出しファンを、前記ダクト内を仕切り部材によって区画された室の夫々から空気を吸入するように構成するのが好ましい。
このように構成すれば、中間部に配置された吹出しファンを２つの吸い込み流路を有するファン群に分けることが可能となり、結果として吹出しファン全体を４つの吸い込み流路を有するファン群に分けることができて、前記のような吸い込み側静圧の上昇抑制効果がさらに上昇する。
【００２９】
また、前記エアシャッタに関する第４の発明は、該エアシャッタを設置する方法の発明であり、前記第１〜第３の発明のような構成を備えて、既設されている前記エアシャッタに、前記開口部脚柱と前記開口部を開閉する扉との間の空気シールを行うシールパッキンを装着することを特徴とする。
かかる発明によれば、前記第１〜第３の発明のような構成を備えた既設のエアシャッタの対をなす開口部脚柱に開口部を開閉する扉に摺接するようにシールパッキンを装着するという簡単な作業のみで、開口部脚柱と開口部を開閉する扉との間の空気シールを確実に行うことができる。
【００３０】
【発明の実施の形態】
以下、本発明を図に示した実施例を用いて詳細に説明する。但し、この実施例に記載される構成部品の寸法、材質、形状、その相対配置などは特に特定的な記載が無い限り、この発明の範囲をそれのみに限定する趣旨ではなく単なる説明例に過ぎない。
図１は本発明の第１実施例の概略構成を示す斜視図である。図２は本発明の第２実施例を示す図で、図２（Ａ）は庫内と庫外のプラットホームに入庫したトラックの荷卸しに際して使用する、オーバドアの解放により形成された開口部に設けたエアシャッタの取り付け状況を示す側面断面図で、（Ｂ）は（Ａ）のＣ−Ｃ視図である。図３は、図１のエアシャッタの有無による庫内温度の差異を示す図である。図４は温度差のある庫内と庫外との間に形成された開口空域の高さ方向の空気の流れの状況を示す図で、（Ａ）は開口空域の中央部の空気の直角方向（庫外と庫内の間）の流速を示し、（Ｂ）は高さ方向の変化に対する風速ベクトル図である。
図５（Ａ）は本発明の第３実施例に係るエアシャッタの吹き出しファンの配置を示す正面構成図、（Ｂ）は比較例を示す正面構成図である。図６は本発明の第４実施例に係るエアシャッタの暖簾の設置態様を示す正面構成図である。図７は本発明の第５実施例に係るエアシャッタの隙間シール用シールパッキン装着部近傍を示す要部斜視図、図８は図７のＺ矢視図（平面図）である。
【００３１】
図１に示すように、本発明の第１の実施例によるエアシャッタは、温度差のある出入口の開口部の両脇に隣接して設けた冷気遮断脚柱１２と該脚柱の対向位置に設けた暖気遮断脚柱１３と天井板１６とよりなる門型構造体で構成し、
前記冷気遮断脚柱１２は、その対向面の下部のフロア１４より下部吹き出しノズル１２ａとその上部に吸入口１２ｂを設け、内部には下部吹き出しファン１２ｃと前記吸入口１２ｂとを結び循環空気１１を運ぶ吸入ダクト１２ｄを内蔵させ、
一方、前記暖気遮断脚柱１３は、その対向面の開口部上部桁１５より上部吹き出しノズル１３ａとその下部に連設した吸入口１３ｂを設け、内部には上部吹き出しファン１３ｃと前記吸入口１３ｂとを結び循環空気１１を運ぶ吸入ダクト１３ｄを内蔵する。
また、前記冷気遮断脚柱１２と暖気遮断脚柱１３の上部端面には天井板１６を設け、後記する暖気遮断流路１０ｂを流れるエア通過流の上部逸散を防止し、開口部上部空域における暖気の流入を完全に防止している。
【００３２】
そして、前記冷気遮断脚柱１２は、下部吹き出しノズル１２ａを介して、当該開口空域０１０のフロア１４より高さ方向に吹き出し高さ約０．５Ｈの遮断断面積の大きな低速気流が流れる冷気遮断流路１０ａを形成させる。該流路１０ａは対向側に位置する暖気遮断脚柱１３の吸入口１３ｂに至り約０．９Ｈに拡大する。
【００３３】
そして、また、前記暖気遮断脚柱１３は、上部吹き出しノズル１３ａを介して、当該開口空域０１０の上部桁１５より下方に設けられた遮断断面積の小さな高速気流が流れる暖気遮断流路１０ｂを形成させる。該流路１０ｂは対向側に位置する冷気遮断脚柱１２の吸入口１２ｂに至り約０．４Ｈに拡大する。
【００３４】
上記構成により暖気遮断脚柱１３の上部吹き出しノズル１３ａを介して送り出された高速気流は、暖気遮断域において暖気遮断流路１０ｂを形成する。
前記高速気流は、対向側の冷気遮断脚柱１２の吸入口１２ｂより吸引され、吸入ダクト１２ｄを介して下部吹き出しファン１２ｃを経て下部吹き出しノズル１２ａに導入され、低速気流として、冷気遮断域において冷気遮断流路１０ａを形成する。
前記低速気流は、対向側の暖気遮断脚柱１３の吸入口１３ｂより吸入され、吸入ダクト１３ｄを介して上部吹き出しファン１３ｃに導入され、循環遮断流路１０ｂを形成する。
【００３５】
図２（Ａ）、（Ｂ）を参照して、庫内３０ａと庫外３０ｂの荷捌き室３１との間の出入口は鉛直下降するオーバドア２１により結ばれ、該オーバドア２１の開口面に接して、パネル２３を介して本発明のエアシャッタを構成する冷気遮断脚柱１２と暖気遮断脚柱１３と天井板１６とよりなる門型構造体を設けてある。
【００３６】
図に見るように、廂３２及び暖簾２２及びシェルパ２４等を具えた荷捌き室３１内にトラック２６を入庫させ、観音開きの扉２６ａを開き、前記オーバドア２１を上昇させ、庫内３０ａと庫外にある荷捌き室３１との間の出入口を解放状態にした場合が示され、この場合は前記トラックの入庫後、冷気遮断脚柱１２と暖気遮断脚柱１３と天井板１６とよりなるエアシャッタを作動させ、冷気遮断流路１０ａ、暖気遮断流路１０ｂを形成させた後、前記オーバドア２１を解放する構成にしてある。
この場合は、前記冷気遮断脚柱１２及び暖気遮断脚柱１３、天井板１６は図に示すように周囲をパネル２３で囲繞し、前記二つの脚柱を含む門型構造体により形成される開口空間は庫内３０ａと気密裡に接続される構成にしてある。
【００３７】
なお、本発明のエアシャッタは二つの対向する遮断脚柱からなる門型構造体を用意すれば、いずれの開口部に対しても、該開口部の両サイドに気密裡に取り付ければ良く、例えば防熱扉可動する防熱扉に適用出来、低コスト且つ保守メンテナンスの掛からないエアシャッタを供給できる。
【００３８】
図３には、図１のエアシャッタを備えた場合と備えない場合の庫内への暖気侵入による庫内温度変化の状況をグラフに示してある。
図に見るように、当初の温度が−２４℃の庫内温度の４分後の温度変化を比較すると、
エアシャッタ有りの場合；約　２℃の温度上昇
エアシャッタ無しの場合；約２２℃の温度上昇
が見られ、大きな外気遮断効果が得られている。
【００３９】
本発明の第３実施例に係るエアシャッタの吹き出しファンの配置を示す図５（Ａ）において、４０は前記第１、第２実施例における吹き出しファン１２ｃ、１３ｃと同様な構造の吹き出しファンで、前記暖気遮断脚柱１３の内部に形成された吸入ダクト１３ｄ内の上部部位に前記第１実施例と同様にスリット状に開口された上部吹き出しノズル１３ａ１を通して前記開口空域０１０内に空気を噴出するように、高さ方向に３個並設されて第１のファン群４０ａを構成している。
また、前記吸入ダクト１３ｄ内の下部部位には、前記第１実施例と同様にスリット状に開口された下部吹き出しノズル１３ａ２を通して前記開口空域０１０内に空気を噴出するように、高さ方向に３個並設されて第２のファン群４０ｂを構成している。
【００４０】
また、前記冷気遮断脚柱１２の内部に形成された吸入ダクトは仕切り部材４１によって、上側吸入ダクト１２ｄ１と下側吸入ダクト１２ｄ２とに区画されている。
そして、前記冷気遮断脚柱１２の中間部上側に位置する前記上側吸入ダクト１２ｄ１の下部には、前記第１実施例と同様にスリット状に開口された中間部吹き出しノズル１２ａ１を通して前記開口空域０１０内に空気を吹き出すように、吹き出しファン４０が高さ方向に２個並設されて第３のファン群４０ｃを構成している。
また、前記冷気遮断脚柱１２の中間部下側に位置する前記下側吸入ダクト１２ｄ２の上部には、スリット状に開口された中間部吹き出しノズル１２ａ２を通して前記開口空域０１０内に空気を吹き出すように、吹き出しファン４０が高さ方向に２個並設されて第４のファン群４０ｄを構成している。
【００４１】
さらに、前記暖気遮断脚柱１３における吸入ダクト１３ｄ内の上部部位にある前記第１のファン群４０ａからの空気（暖気）は、前記冷気遮断脚柱１３における上側吸入ダクト１２ｄ１の吸入口１２ｂ１から上側吸入ダクト１２ｄ１に流入し、前記第３のファン群４０ｃの吸い込み空間４２ｃを通り、該第３のファン群４０ｃの各ファン４０に吸入されるようになっている。
また、前記暖気遮断脚柱１３における吸入ダクト１３ｄ内の下部部位にある前記第２のファン群４０ｂからの空気（暖気）は、前記冷気遮断脚柱１３における下側吸入ダクト１２ｄ２の吸入口１２ｂ２から該下側吸入ダクト１２ｄ２に流入し、前記第４のファン群４０ｄの吸い込み空間４２ｄを通り、該第４のファン群４０ｄの各ファン４０に吸入されるようになっている。
【００４２】
また、前記冷気遮断脚柱１２における上側吸入ダクト１２ｄ１内の下部部位にある前記第３のファン群４０ｃからの空気（冷気）は、前記暖気遮断脚柱１３における吸入ダクト１３ｄの吸入口１３ｂ１から該吸入ダクト１３ｄ内に流入し、前記第１のファン群４０ａの吸い込み空間４２ａを通り、該第１のファン群４０ａの各ファン４０に吸入されるようになっている。
また、前記冷気遮断脚柱１２における下側吸入ダクト１２ｄ２内の上部部位にある前記第４のファン群４０ｄからの空気（冷気）は、前記暖気遮断脚柱１３における吸入ダクト１３ｄの吸入口１３ｂ２から該吸入ダクト１３ｄに流入し、前記第２のファン群４０ｂの吸い込み空間４２ｂを通り、該第２のファン群４０ｂの各ファン４０に吸入されるようになっている。
【００４３】
かかる第３実施例によれば、前記暖気遮断脚柱１３の吹き出しノズル及び吹き出しファンを、該暖気遮断脚柱１３の高さ方向上部部位及び下部部位に配置して上部部位の第１のファン群４０ａからこれに対向する冷気遮断脚柱１２の吸入口１２ｂ１へ向けて空気（暖気）を吹き出すとともに、下部部位の第２のファン群４０ｂからこれに対向する冷気遮断脚柱１２の吸入口１２ｂ２へ向けて空気（暖気）を吹き出すように構成する一方、
前記冷気遮断脚柱１２の内部の吸入ダクトを上側及び下側吸入ダクト１２ｄ１及び１２ｄ２に分割するとともに、吹き出しノズル及び吹き出しファンを該冷気遮断脚柱１２の高さ方向中間部の該上側及び下側吸入ダクト１２ｄ１及び１２ｄ２に配置して、上側吸入ダクト１２ｄ１内の第３のファン群４０ｃからこれに対向する暖気遮断脚柱１３の吸入口１３ｂ１へ向けて空気（暖気）を吹き出すとともに、下側吸入ダクト１２ｄ２内の第４のファン群４０ｄからこれに対向する暖気遮断脚柱１３の吸入口１３ｂ２へ向けて空気（暖気）を吹き出すように構成したので、
対をなす冷気遮断脚柱１２及び暖気遮断脚柱１３に設けられた複数の吹き出しファン４０からなるファン群を、暖気遮断脚柱１３の上部部位にある第１のファン群４０ａ、該暖気遮断脚柱１３の下部部位にある第２のファン群４０ｂ、冷気遮断脚柱１２の中間部位の上下にある第３のファン群４０ｃ及び第４のファン群４０ｄの、４つの吸い込み流路４２ａ、４２ｂ及び４２ｃ、４２ｄを有するファン群に分けて設置することが可能となる。
【００４４】
従って、図５（Ｂ）の比較例のように、冷気遮断脚柱１２及び暖気遮断脚柱１３にそれぞれ１つのファン群４０ｅ及び４０ｆを有することにより、ファン群毎の吸い込み流路４２ｅ及び４２ｆが長くなって、吸い込み静圧が不均一で吹き出し流速ｖのばらつきが大きくなるものに比べ、図５（Ａ）に示す第３実施例の場合は、４つのファン群毎の吸い込み流路が短縮されるとともに、吸い込み流の干渉の少ない滑らかな流路形状となる。
【００４５】
これにより、各吹き出しファン４０への吸い込み抵抗が減少して、前記吸入ダクト内における吹き出しファン４０吸い込み側の通路幅Ｂ１，Ｂ２が小さいことによる吸い込み側静圧の上昇及び不均一化を抑制できるとともに、吹き出し流速ｖのばらつきが小さくなり、該吸い込み側静圧の上昇に伴なう循環風速、風量の低下を防止できる。
また、吹き出しファン４０の吸い込み流路の角部を滑らかな曲面４４，４５に形成したので、角部に配置された吹き出しファン４０の吸い込み側静圧の上昇を抑制できる。
【００４６】
図６に示す本発明の第４実施例においては、冷気遮断脚柱１２及び暖気遮断脚柱１３の上部に架設された天井材１６から前記開口空域０１０内に該開口空域０１０の内側と外側との間の熱遮断を行う暖簾４６を吊設している。該暖簾４６の長さＨ１は、前記開口空域０１０内において、前記冷気遮断脚柱１２及び暖気遮断脚柱１３の高さＨの概ね１／２以下として、該暖簾４６の下方に荷役車両等が通過容易なように通行スペース４６ａを形成する。
【００４７】
かかる第４実施例によれば、前記各実施例において、暖気を遮断する暖気遮断流路と冷気を遮断する冷気遮断流路により循環遮断流路を形成して同一循環空気の使用により開口空域０１０の内側と外側との間の温度差を少なくできるのに加えて、該開口空域０１０の上部部位における前記暖気遮断部に暖簾４６を設けることによって、さらなる庫内と外部との間の熱遮断効果を得ることができる。
また、前記暖簾４６を開口空域０１０の上部部位における前記暖気遮断部のみに設置して、該開口空域０１０の高さ方向中間部及び下部には暖簾４６を設置していないので、該暖簾４６を設置することによる外部から庫内の見通しの悪化を回避できるとともに、フォークリフト等の作業車両の出入りの障害にもならない。
【００４８】
図７，８に示される第５実施例は該エアシャッタを設置する方法に係り、前記各実施例のような構成を備えたエアシャッタが既設されているものにおいて、該エアシャッタの冷気遮断脚柱１２及び暖気遮断脚柱１３の内側縁部に高さ方向に沿ってシールパッキン３５を装着し、該シールパッキン３５が断熱壁３７に沿って開閉作動する扉３６に常時接触して、庫内と外部との空気シールをなさしめる。
【００４９】
かかる実施例によれば、前記各実施例のような構成を備えた既設のエアシャッタの冷気遮断脚柱１２及び暖気遮断脚柱１３に、開口部Ｗを開閉する扉３６に摺接するようにシールパッキン３５を装着するという簡単な作業のみで、該冷気遮断脚柱１２及び暖気遮断脚柱１３と開口部Ｗを開閉する扉３６との間の空気シールを確実に行うことができる。
【００５０】
【発明の効果】
本発明は、開口部における解放時の空気の流動状態について、実験データを基に解明検討の上なされたため、効率的な循環遮断流路を開口空域に設定できるとともに、いずれの形式の開口方式のものにも容易に適用でき、且つ保守メンテナンスが容易に行なえる低コスト、高効率のエアシャッタを提供できる。
【００５１】
また本発明によれば、吹き出しファンを４つの吸い込み流路を有するファン群に構成することにより、各吹き出しファンへの吸い込み抵抗が減少して、開口部脚柱内に形成された吸入ダクト内における吹き出しファン吸い込み側の通路幅が小さいことによる吸い込み側静圧の上昇を抑制でき、該吸い込み側静圧の上昇に伴なう前記循環遮断流路における循環風速、風量の低下を防止できる。
また本発明によれば、暖簾部材を開口空域上部の暖気遮断部のみに設置して、該開口空域の中間部及び下部には暖簾部材を設置していないので、該暖簾部材を設置することによる外部から庫内の見通しの悪化を回避できるとともに、フォークリフト等の作業車両の出入りの障害を回避できる。
さらに、本発明によれば、既設のエアシャッタの開口遮断脚柱に、扉に摺接するようにシールパッキンを装着するという簡単な作業のみで、エアシャッタと扉との間の空気シールを確実に行うことができる。
【図面の簡単な説明】
【図１】本発明の第１の実施例の概略構成を示す斜視図である。
【図２】本発明の第２の実施例を示す図で、（Ａ）は庫内と庫外との間のプラットホームで入庫したトラックよりオーバドアを解放して荷捌きする場合における、開口部に設けたエアシャッタの概略の取り付け状況を示す側面断面図で、（Ｂ）は（Ａ）のＣ−Ｃ視図である。
【図３】図１のエアシャッタの有無による庫内温度の差異を示す図である。
【図４】温度差のある庫内と庫外との間に形成された開口空域の高さ方向の空気の流れの状況を示す図で、（Ａ）は開口空域の中央部の空気の直角方向（庫外と庫内の間）の流速を示し、（Ｂ）は高さ方向の変化に対する風速ベクトル図である。
【図５】（Ａ）は本発明の第３実施例に係るエアシャッタの吹き出しファンの配置を示す正面構成図、（Ｂ）は比較例を示す正面構成図である。
【図６】本発明の第４実施例に係るエアシャッタの暖簾の設置態様を示す正面構成図である。
【図７】本発明の第５実施例に係るエアシャッタの隙間シール用シールパッキン装着部近傍を示す要部斜視図である。
【図８】図７のＺ矢視図（平面図）である。
【図９】従来のアーチ式外気遮断エアカーテンの図である。
【図１０】（Ａ）は従来のエアカーテンの一実施例の概略構成を示す正面図で、（Ｂ）は（Ａ）のＶＩ−ＶＩ視図である。また、（Ｃ）は従来の吹き下ろし型エアカーテンの断面図である。
【図１１】（Ａ）は従来のエアカーテンの別の実施例の概略構成を示す正面図で、（Ｂ）は（Ａ）のＶＩＩ−ＶＩＩ視図である。
【図１２】従来の循環遮断流路よりなる暖気遮断流路と冷気遮断流路に吹き下ろし流路を併存させたエアカーテンの斜視図である。
【符号の説明】
１０ａ　冷気遮断流路
１０ｂ　暖気遮断流路
１１　　循環空気
１２　　冷気遮断脚柱
１２ａ　下部吹き出しノズル
１２ｂ　吸入口
１２ｃ　下部吹き出しファン
１２ｄ　吸入ダクト
１３　　暖気遮断脚柱
１３ａ　上部吹き出しノズル
１３ｂ　吸入口
１３ｃ　上部吹き出しファン
１３ｄ　吸入ダクト
１４　　フロア
１５　　開口部上部桁
１６　　天井板
２１　　オーバドア
２２　　暖簾
２３　　パネル
２４　　シェルパ
２６　　トラック
３０ａ　庫内
３０ｂ　庫外
３１　　荷捌き室
３５　　シールパッキン
４０　吹き出しファン
４０ａ、４０ｂ、４０ｃ、４０ｄ　ファン群
４６　暖簾
０１０　開口空域
【図１】
2004077113.tif 000003
【図２】
2004077113.tif 000004
【図３】
2004077113.tif 000005
【図４】
2004077113.tif 000006
【図５】
2004077113.tif 000007
【図６】
2004077113.tif 000008
【図７】
2004077113.tif 000009
【図８】
2004077113.tif 000010
【図９】
2004077113.tif 000011
【図１０】
2004077113.tif 000012
【図１１】
2004077113.tif 000013
【図１２】
2004077113.tif 000014